(57)【要約】【課題】映像に撮影された多くの対象を同時に識別し，それぞれの対象ごとに映像の編集を行うことを可能とする。【解決手段】特定の撮影対象に付与された無線タグ２が発信した信号を受信機３が受信して編集用コンピュータ装置１の受信記録部１１に送信し，受信記録部１１は，発信信号に含まれる無線タグ２の識別情報を時刻に対応付けて記録する。カメラ４は，受信機３が無線タグ２の発信信号を受信できるエリアを撮影し，映像管理部１４は，カメラ４が撮影した映像を映像蓄積部１８に蓄積する。映像編集部１７は，受信記録部１１に記録された無線タグ２の識別情報と時刻との対応情報を利用し，映像蓄積部１８に蓄積された映像を特定の撮影対象ごとに切り出して編集する。【選択図】    図１
2004312511.tif 000002
【特許請求の範囲】
【請求項１】
撮影した映像を特定の撮影対象に応じて編集する映像編集システムであって，
１または複数の撮影対象にそれぞれ付与された無線タグの識別情報と各撮影対象との対応情報を記憶する手段と，
映像を撮影する１または複数の撮影手段と，
撮影した映像を時刻情報に関連付けて蓄積する手段と，
前記撮影手段の撮影範囲にいる撮影対象に付与された無線タグが発信する識別情報を受信する１または複数の無線タグ信号受信手段と，
受信した無線タグの識別情報を時刻情報とともに蓄積する手段と，
前記無線タグの識別情報と各撮影対象との対応情報と，前記時刻情報とともに蓄積された無線タグの識別情報とに基づいて，前記蓄積された映像から特定の映像を抽出し特定の撮影対象ごとに編集する映像編集手段とを備えることを特徴とする映像編集システム。
【請求項２】
請求項１に記載の映像編集システムにおいて，
前記蓄積された映像から特定の映像を抽出する条件となる前記無線タグの識別情報またはその組み合わせに関する編集条件を記憶する手段を備え，
前記映像編集手段は，前記蓄積された映像から前記編集条件を満たす映像を抽出し，その抽出した映像を連結する編集を行うことを特徴とする映像編集システム。
【請求項３】
請求項１または請求項２に記載の映像編集システムにおいて，
前記映像を蓄積する手段または前記映像編集手段は，前記撮影手段によって撮影された映像をネットワークを通じて取得し，
前記無線タグの識別情報を時刻情報とともに蓄積する手段は，前記無線タグ信号受信手段からネットワークを通じて情報を取得することを特徴とする映像編集システム。
【請求項４】
請求項１から請求項３までのいずれか１項に記載の映像編集システムを用いた園児モニタリングシステムであって，
前記撮影手段および前記無線タグ信号受信手段は，幼稚園または保育園に設置され，
前記無線タグは，幼稚園または保育園の園児に付与され，
前記映像編集手段は，幼稚園または保育園の園児を特定の撮影対象とした映像を編集することを特徴とする園児モニタリングシステム。
【請求項５】
請求項１から請求項３までのいずれか１項に記載の映像編集システムを用いた福祉施設モニタリングシステムであって，
前記撮影手段および前記無線タグ信号受信手段は，福祉施設に設置され，
前記無線タグは，福祉施設の入所者に付与され，
前記映像編集手段は，福祉施設の入所者を特定の撮影対象とした映像を編集することを特徴とする福祉施設モニタリングシステム。
【請求項６】
請求項１から請求項３までのいずれか１項に記載の映像編集システムを用いた記念ビデオ作成システムであって，
前記撮影手段および前記無線タグ信号受信手段は，娯楽施設または遊戯施設に設置され，
前記無線タグは，娯楽施設または遊戯施設への来場者に付与され，
前記映像編集手段は，娯楽施設または遊戯施設への来場者を特定の撮影対象とした映像を編集することを特徴とする記念ビデオ作成システム。
【請求項７】
請求項１から請求項３までのいずれか１項に記載の映像編集システムを用いた行動モニタリングシステムであって，
前記撮影手段および前記無線タグ信号受信手段は，店舗，厨房または作業場に設置され，
前記無線タグは，店舗，厨房または作業場における従業員または作業者に付与され，
前記映像編集手段は，店舗，厨房または作業場における従業員または作業者を特定の撮影対象とした映像を編集することを特徴とする行動モニタリングシステム。
【請求項８】
撮影した映像を特定の撮影対象に応じて編集する映像編集方法であって，
無線タグを前記特定の撮影対象に付与するステップと，
前記無線タグの識別情報と前記特定の撮影対象との対応情報を記憶するステップと，
映像を撮影するステップと，
撮影した映像を時刻情報に関連付けて蓄積するステップと，
前記撮影した映像の撮影範囲にいる特定の撮影対象に付与された無線タグが発信する識別情報を受信するステップと，
受信した無線タグの識別情報を時刻情報とともに蓄積するステップと，
前記無線タグの識別情報と特定の撮影対象との対応情報と，前記時刻情報とともに蓄積された無線タグの識別情報とに基づいて，前記蓄積された映像から特定の映像を抽出し，前記特定の撮影対象ごとに編集，または前記特定の撮影対象の組み合わせに応じて編集するステップとを有することを特徴とする映像編集方法。
【請求項９】
請求項８に記載の映像編集方法において，
前記蓄積された映像から特定の映像を抽出する条件となる前記無線タグの識別情報またはその組み合わせに関する編集条件を記憶するステップを有し，
前記映像を編集するステップでは，前記蓄積された映像から前記編集条件を満たす映像を抽出し，その抽出した映像を連結する編集を行うことを特徴とする映像編集方法。
【発明の詳細な説明】
【０００１】
【発明の属する技術分野】
本発明は，蓄積された映像から特定の映像を切り出して編集するシステムに関し，特に，無線タグの検知状況と，その蓄積データに基づき，蓄積映像（音声を含んでもよい）から特定の映像を自動的に抽出して編集する映像編集システムに関する。
【０００２】
【従来の技術】
従来の映像編集作業におけるコンピュータ等の利用による編集支援機能としては，場面の切り替え（シーンチェンジ）点の抽出，輝度情報に基づく映像抽出などがある。
【０００３】
また，指定された撮影対象を撮影した映像を映像受信者にリアルタイムに発信するリアルタイム映像発信システムが，以下の特許文献１に記載されている。
【０００４】
なお，映像の編集支援技術とは直接的に関係のある技術ではないが，無線を利用した自動識別技術として無線タグシステムがある。無線タグは，タグそれぞれ固有の識別情報を発信し，受信機では短時間（秒程度）に多数のタグからの識別情報を認識することが可能である。
【０００５】
【特許文献１】
特開２００３−６１０８３号公報
【０００６】
【発明が解決しようとする課題】
しかし，従来のシーンチェンジ点の抽出や輝度情報に基づく映像抽出などによる映像の編集支援機能は，映像自身または映像付帯情報など映像データに包含される情報に基づいている。このため，上記の編集支援機能を使用しても，映像に撮影されている多くの撮影対象を識別して対象ごとに映像を編集するためには，編集者が映像を見ながら判断する必要があり，多くの人的稼動および編集機器を必要とする。したがって，特に撮影対象が多数あるような場合に，各撮影対象ごとに映像を編集することを実現するのは現実的に容易ではない。
【０００７】
また，上記特許文献１に記載されたリアルタイム映像発信システムは，遠隔地から特定の撮影対象を選択してその映像を受信することはできるが，撮影した映像を特定の撮影対象ごとに編集することは想定されていない。このため，例えば特定の撮影対象ごとに，その特定の撮影対象が映っている映像部分だけをつなぎ合わせたような編集映像を得ることはできない。
【０００８】
本発明は上記従来技術の問題点を解決し，無線タグシステムを利用することで，映像に撮影された多くの対象を同時に識別し，それぞれの対象ごとに映像の編集を可能とするシステムを提供することを目的とする。これを実現することにより，撮影映像の中から受け手の希望する特定対象に関する編集映像を容易に提供することができるようになる。
【０００９】
【課題を解決するための手段】
上記の目的を達成するために本発明は，以下のような特徴的構成を有する。
【００１０】
第１の発明は，無線タグ利用映像編集システムである。このシステムでは，１または複数のエリアに撮影用カメラおよび無線タグ受信機を設置し，無線タグを付与した１または複数の対象を撮影する。撮影した映像と，無線タグから受信した識別情報とは，時刻情報とともに１または複数のコンピュータ装置に蓄積する。撮影終了後，無線タグの電波受信状況と撮影映像とを比較対照することで，映像に撮影されている対象を特定することが可能である。この機能を使用することで，蓄積された映像の中から無線タグを付与した特定の対象に関する映像を抽出し編集する。撮影時に映像とともに音声を録音し利用してもよい。
【００１１】
第２の発明は，ネットワーク経由での無線タグ利用映像編集システムである。
このシステムでは，第１の発明の無線タグ利用映像編集システムにおいて，撮影用カメラと無線タグ受信機と編集用コンピュータ装置とをネットワークにより接続して，遠隔地での映像編集を可能とする。
【００１２】
第３の発明は，幼稚園，保育園における園児モニタリングシステムである。このシステムは，第１の発明の無線タグ利用映像編集システムあるいは第２の発明のネットワーク経由での無線タグ利用映像編集システムにおいて，無線タグを園児に付与し，幼稚園または保育園内に１または複数のカメラを設置するとともに，１または複数の無線タグ受信機を設置する。そして，カメラにより撮影された映像を，無線タグから受信した識別情報を用いて園児ごとに編集する。編集された映像をネットワーク経由で配信，あるいはＣＤ（Ｃｏｍｐａｃｔ  Ｄｉｓｋ）などの電子記録媒体に記録し，保護者，親族等が閲覧できるようにする。
【００１３】
第４の発明は，福祉施設モニタリングシステムである。このシステムでは，第３の発明と同様のシステムを老人ホームなどの福祉施設に設置し，無線タグを入所者に付与し，後見人，親族等に入所者の様子を撮影した映像の提供を可能とする。付与する無線タグは電波発信電源の入切操作を可能とし，入所者の希望に応じて撮影場面を限定した編集が行われるようにしてもよい。入所者ごとに撮影編集し，映像を提供してもよい希望時間帯を予め設定し，編集用コンピュータ装置で編集時に処理してもよい。
【００１４】
第５の発明は，娯楽・遊戯施設における記念ビデオ作成システムである。このシステムでは，第３の発明と同様のシステムを遊園地，ゴルフ場などの娯楽・遊戯施設に設置し，来場者に無線タグを付与し，来場者ごとの記念ビデオ編集を可能とする。来場者の映像に加えて，催し物の映像を追加してもよい。
【００１５】
第６の発明は，店舗あるいは工場における従業員行動管理システムである。このシステムでは，第３の発明と同様のシステムを小売店，レストランなどの店舗あるいは工場に設置し，従業員に無線タグを付与し，これを撮影することで，動線分析，作業工程ごとの所要時間，作業員ごとの所要時間のばらつきなどの分析検討に資する編集映像を提供する。これらの映像は店内，厨房，生産ラインにおけるレイアウト，作業手順等を作業効率が向上するように改善するために利用できる。
【００１６】
【発明の実施の形態】
以下，本発明の実施の形態を図を用いて説明する。図１は，本発明の第１の実施の形態に係る映像編集システムの構成例を示す。図１に示す映像編集システムは，ＣＰＵおよびメモリなどからなる編集用コンピュータ装置１，撮影対象に付けられる無線タグ２，無線タグ信号の受信機３，撮影用のカメラ４から構成される。さらに，編集用コンピュータ装置１は，受信記録部１１，無線タグ管理部１２，機器管理部１３，映像管理部１４，編集条件管理部１５，時刻同期管理部１６，映像編集部１７，映像蓄積部１８から構成される。映像蓄積部１８は，編集用コンピュータ装置１内ではなく，外部の装置にあってもよい。
【００１７】
また，編集用コンピュータ装置１は，データ記憶手段として，無線タグ信号データ記憶部１１０，無線タグ管理データ記憶部１２０，機器管理データ記憶部１３０，映像管理データ記憶部１４０，編集条件データ記憶部１５０，編集映像データ記憶部１７０を持つ。
【００１８】
ここでは，説明を簡単にするために，編集用コンピュータ装置１を１台のコンピュータのイメージで示しているが，例えば受信記録部１１，映像管理部１４等を分離し，複数台のコンピュータによって編集用コンピュータ装置１を実現することもできる。
【００１９】
デジタル処理部１９は，カメラ４で撮影された映像をデジタル信号に変換し，必要に応じて圧縮符号化する手段であり，カメラ４側または編集用コンピュータ装置１側のどちらで実現されてもよい。ここで説明する編集対象の映像には，カメラ４に付随するマイクからの入力音声を含んでいてもよい。
【００２０】
無線タグ２は，一定条件で自発的に電波を発信し，発信情報にはタグＩＤと呼ばれる識別コード（例えば，無線タグＩＤ）が含まれている。受信機３は，複数の無線タグ２からの電波を受信し，その電波が示す識別コードを受信記録部１１へ送信する。カメラ４は，受信機３が無線タグ２からの情報を受信できるエリアをカバーするように撮影を行う。
【００２１】
受信記録部１１は，図２に示すような無線タグ信号データの情報要素（受信機番号と時刻と識別コード）を無線タグ信号データ記憶部１１０に蓄積する。蓄積する情報要素に，受信機３が受信した無線タグ信号の受信レベル（受信電波強度）を含めてもよい。
【００２２】
無線タグ２は，識別を行いたい人物，物品に対して付与する。無線タグ２を付与した対象は，無線タグ管理部１２により事前に登録し管理する。無線タグ管理部１２の管理情報要素は，図３に示す無線タグ管理データのように無線タグ２の識別コードと，付与対象との対応情報である。付与対象の情報は，人物の名前や物品名またはそれらを一意に識別する識別（ＩＤ）情報など，撮影対象を特定できる情報であればどのような情報でもよい。ネットワーク等での映像公開のために，ログインアカウント，ログインパスワードの情報を併せて管理しておいてもよい。これらの無線タグ管理データは，無線タグ管理データ記憶部１２０に記憶される。ログインアカウント，ログインパスワードの情報は，これらの情報とログイン時に入力された情報とが合致した場合にのみ，編集映像の閲覧を許可するために用いられる。
【００２３】
機器管理部１３は，図４に示す機器管理データのように，受信機３，カメラ４の設置場所の対応管理情報として，撮影場所，カメラ番号，受信機番号の情報と，カメラ４で撮影した映像を取得・閲覧する際に必要となる映像保存場所情報とを事前の登録により管理する。これらの機器管理データは，機器管理データ記憶部１３０に記憶される。映像保存場所情報は，例えば映像蓄積部１８が編集用コンピュータ装置１内のファイルシステムで実現される場合に，ディレクトリ名などの格納場所を示す情報である。映像蓄積部１８が外部装置にある場合には，そのマシン名とディレクトリ名などの情報である。
【００２４】
カメラ４で撮影された映像の蓄積保存は，編集時に扱いやすい適当な大きさでファイル化して映像蓄積部１８に保存することとし，映像管理部１４では，図５に示す映像管理データのような蓄積映像情報と蓄積映像のファイル名との対応を管理する。映像管理データの蓄積映像情報としては，例えばカメラ番号，映像の開始時刻，終了時刻および映像入出力のプロトコル情報または利用した映像符号化方式の種類を示す情報である。これらの映像管理データは，映像管理データ記憶部１４０に記憶される。
【００２５】
映像編集部１７は，受信記録部１１，無線タグ管理部１２，機器管理部１３，映像管理部１４の情報，すなわち無線タグ信号データ記憶部１１０，無線タグ管理データ記憶部１２０，機器管理データ記憶部１３０，映像管理データ記憶部１４０に記憶されている情報を用いて，特定対象に関する映像の抽出および編集を実現する。
【００２６】
また，本実施の形態においては，映像編集部１７は，さらに，事前に登録された編集条件管理部１５が管理する編集条件データを用いて，特定対象に関する映像を抽出することもできる。この編集条件データは，例えば図６に示すように，編集で抽出する識別コード条件，編集開始時刻，編集終了時刻などの情報である。編集条件データは，編集条件データ記憶部１５０に保存される。
【００２７】
識別コード条件は，複数のタグに関する論理演算結果でもよい。すなわち，識別コード条件は，タグＡが検知され，かつ，タグＢが検知されたという状況（タグＡ  ａｎｄ  タグＢ），タグＡが検知されたか，またはタグＢが検知された状況（タグＡ  ｏｒ  タグＢ），タグＡが検知されていない状況（ｎｏｔ  タグＡ）というような状況を表す論理演算結果でよく，さらにこれらを複合した演算結果であってもよい。
【００２８】
さらに，検出不可時の処理など編集時の処理方法を，編集条件データとして登録しておくこともできる。検出不可時の処理として，例えば複数のカメラで同時に撮影された映像の中から，タグＡが検知されたときの映像を抽出して編集するというような状況において，無線タグ信号としてタグＡの識別コードがどの映像においても検知されなかったような場合に，映像をカットして，タグＡが検知された映像だけをつなぎ合わせる編集を行う（ここでは，これをカット編集という）とか，タグＡが検知されていない間は，直前にタグＡが検知された映像をそのまま編集対象の映像として用いて編集を行う（ここでは，これを前ソース利用編集という）とかの編集処理方法をあらかじめ登録して指定することができる。
【００２９】
カット編集の場合には，編集結果の映像が時間的に不連続なものとなり，前ソース利用編集の場合には，編集結果の映像が時間的に連続したものとなる。他にも必要に応じて種々の編集処理方法を指定することもできる。
【００３０】
図８は，蓄積映像の編集の概念図である。図８では，編集の概念を理解しやすくするために，図６に示す編集条件データを用いないで編集を行った例を示しているが，編集条件データを用いた場合も，同様に蓄積したビデオ映像から識別コード条件に従って映像編集を行うことができる。
【００３１】
図８において横軸は時刻の経過を表し，図８（Ａ）ないし図８（Ｄ）は，それぞれ第１カメラから第４カメラまでの４台のカメラ４で撮影した映像を蓄積したビデオ映像を表している。第１カメラから第４カメラまでの４台のカメラ４は，この例では，それぞれ異なる４つの部屋に設置されているような状況を想定している。各部屋ごとに無線タグ２が発信する信号を受信する受信機３が設置され，それぞれの蓄積映像には，検知されたタグＡまたはタグＢが時刻情報により対応づけられている。なお，この蓄積映像と検知されたタグとの対応は，図２に示す無線タグ信号データと，図４に示す機器管理データと，図５に示す映像管理データとから容易に算出することができる。
【００３２】
図８（Ｅ）および図８（Ｆ）は，蓄積したビデオ映像からの無線タグごとの映像編集結果であり，特に図８（Ｅ）はタグＡが検知された映像の編集結果，図８（Ｆ）はタグＢが検知された映像編集結果を示している。また，図８（Ｇ）は，タグが検出されない映像編集結果の例を示しており，第１〜第４のカメラで撮影されたビデオ映像において，タグＡ，タグＢのどちらも検出されなかった映像だけをつなぎ合わせた映像編集結果を示している。
【００３３】
映像編集部１７は，編集条件に従って映像を抽出するために，例えば図７に示す編集映像データのように，編集条件ごとに切出し開始時刻，切出し終了時刻，ファイル名というような中間データを作成し，編集映像データ記憶部１７０にこれらの中間データを格納して処理してもよい。
【００３４】
時刻同期管理部１６は，受信機３，カメラ４，編集用コンピュータ装置１の時刻同期を行う。すなわち，編集用コンピュータ装置１が持つタイマと，受信機３が持つタイマと，カメラ４もしくはデジタル処理部１９が持つタイマとの時刻合わせを行う。なお，受信機３，カメラ４から編集用コンピュータ装置１へのデータ転送の遅延時間が無視できる程度の時間であれば，機器間の時刻同期を省略して編集用コンピュータ装置１の時刻を利用することができる。この場合，受信記録部１１，映像管理部１４が無線タグ信号データや映像を受信した時に，編集用コンピュータ装置１が持つタイマの時刻を受信データに付与する。
【００３５】
編集用コンピュータ装置１での起動から終了までの処理の流れを図９に示す。まず，機器管理部１３によって，カメラ・受信機等の機器管理データを機器管理データ記憶部１３０に登録する（ステップＳ１）。また，無線タグ管理部１２によって，無線タグ管理データを無線タグ管理データ記憶部１２０に登録する（ステップＳ２）。次に，時刻同期管理部１６によって，各受信機３，カメラ４等の機器の時刻合わせを行う（ステップＳ３）。
【００３６】
カメラ４による撮影が開始されると，映像管理部１４および受信記録部１１によって，カメラ映像と無線タグ信号データの蓄積を行う（ステップＳ４）。最後に，映像編集部１７によって蓄積映像の編集を行う（ステップＳ５）。このうち，ステップＳ１からステップＳ３の手順はどの順番で実施してもよい。
【００３７】
図１０は，カメラ・受信機の登録処理（図９のステップＳ１）の具体的な流れを示している。機器管理部１３は，登録指示の有無を判断し（ステップＳ１１），登録指示があった場合には，カメラ・受信機情報を入力し（ステップＳ１２），機器管理データ記憶部１３０に登録する（ステップＳ１３）。
【００３８】
図１１は，無線タグ情報の登録処理（図９のステップＳ２）の具体的な流れを示している。無線タグ管理部１２は，登録指示の有無を判断し（ステップＳ２１），登録指示があった場合には，無線タグ情報を入力し（ステップＳ２２），無線タグ管理データ記憶部１２０に登録する（ステップＳ２３）。
【００３９】
図１２は，機器の時刻合わせの処理（図９のステップＳ３）の具体的な流れを示している。時刻同期管理部１６は，時刻合わせする機器の一覧表を表示し（ステップＳ３１），変更指示の有無を判断する（ステップＳ３２）。変更指示がある場合には時刻合わせする機器の登録修正を行い（ステップＳ３５），ステップＳ３１に戻る。次に，各機器に対する時刻合わせを行う（ステップＳ３３）。時刻合わせの対象となる全ての機器についての時刻合わせが終了するまで（ステップＳ３４），ステップＳ３３の時刻合わせを繰り返す。
【００４０】
図１３は，映像編集の処理（図９のステップＳ５）の具体的な流れを示している。図６に示す編集条件データ記憶部１５０に登録された編集条件を読み込み（ステップＳ４１），新規登録の指示の有無を判断する（ステップＳ４２）。新規登録の指示があれば，新しい編集条件を編集条件データ記憶部１５０に追加登録する処理を登録指示が終了するまで繰り返す（ステップＳ４３）。次に，映像の編集処理が可能かどうかを編集条件データおよび映像管理データなどの時刻情報から判断する（ステップＳ４４）。編集処理が可能であれば，映像編集を実施し（ステップＳ４５），編集処理が可能でなければ終了する。
【００４１】
映像編集の詳細は図１４の通りである。編集条件データとして与えられた識別コード条件について，蓄積映像ごとに，無線タグ信号データ記憶部１１０に記憶されている無線タグ信号データと，その受信機３に対応するカメラ４の映像管理データ記憶部１４０に記憶されている映像管理データから，映像の切出し開始時刻，切出し終了時刻，映像ソースのファイル名からなる編集映像データ（図７）のリストを作成し（ステップＳ５１），その編集映像データのリストに基づき映像蓄積部１８から目的の映像を抽出し（ステップＳ５２），時刻順に並べて，抽出映像を連結する（ステップＳ５３）。
【００４２】
編集用コンピュータ装置１に，編集開始時刻，編集終了時刻，識別コード条件などいくつかの情報を入力することで特定対象に限定した映像を容易に取り出すことが可能となる。
【００４３】
図１５は，本発明の第２の実施の形態に係る映像編集システムの構成の一例を示す図である。図１５において，５はネットワークである。第２の実施の形態では，前記の第１の実施の形態において，受信機３と編集用コンピュータ装置１，カメラ４と編集用コンピュータ装置１の間をネットワーク５を経由して接続し，カメラ４および無線タグの受信機３の設置場所と離れた場所にある編集用コンピュータ装置１で編集する。
【００４４】
図１６は，本発明の第３の実施の形態に係る幼稚園，保育園における園児モニタリングシステムの概要を示す図である。図１６中，２１は幼稚園，保育園の園児である。第３の実施の形態においては，第１の実施の形態または第２の実施の形態のシステムを利用して，無線タグ２を園児２１に付与し，幼稚園，保育園内に１または複数のカメラ４，受信機３を設置する。無線タグ２の受信範囲とカメラ４の撮影範囲がほぼ同一となるように調整することで，より効果的な利用が可能である。そして，撮影された映像を無線タグ２の識別コードによって園児２１ごとに編集し，編集された映像をネットワーク５経由で配信，あるいはＣＤなどの電子媒体に記録し，保護者，親族等が閲覧可能とする。
【００４５】
図１７は，第３の実施の形態に係る幼稚園，保育園における園児モニタリングシステムの運用例を示すブロック図である。図１７において，２２は保護者，２３は幼稚園，保育園，２４はシステム運営者である。幼稚園，保育園２３は，システム運営者２４に利用料を支払って無線タグ２を受け取るとともに，園内にシステムを設置する。保護者２２は利用料を幼稚園，保育園２３に支払って無線タグ２を受け取り，無線タグ２を園児２１に付与する。システム運営者２４は，無線タグ２の識別情報を用いて，園内に設置されたカメラ４によって撮影された映像を園児２１ごとに編集し，編集映像を保護者２２に提供する。
【００４６】
本発明の第４の実施の形態は，福祉施設モニタリングシステムを提供する。第４の実施の形態においては，第１の実施の形態または第２の実施の形態のシステムを利用して，老人ホームなどの福祉施設内に１または複数のカメラ４，受信機３を設置する。そして，無線タグ２を入所者に付与し，後見人，親族等に入所者の様子を撮影した映像の提供を可能とする。入所者に付与する無線タグ２は電波発信電源の入切操作を可能とし，入所者の希望に応じて撮影場面を限定した編集が行われるようにしてもよい。
【００４７】
図１８は，本発明の第４の実施の形態に係る福祉施設モニタリングシステムの運用例を示すブロック図である。図１８中，３１は老人ホームの入所者，３２は親族，３３は老人ホーム，３４はシステム運営者である。老人ホーム３３は，システム運営者３４に利用料を支払って無線タグ２を受け取るとともに，老人ホーム３３の施設内にシステムを設置する。親族３２は，利用料を老人ホーム３３に支払い，老人ホーム３３が無線タグ２を入所者３１に付与する。システム運営者３４は，無線タグ２の識別情報を用いて，老人ホーム３３内に設置されたカメラ４によって撮影された映像を入所者３１ごとに編集し，編集映像を親族３２に提供する。老人ホームを例に説明したが，老人ホーム以外の福祉施設の場合にも同様に関係者に特定の入所者の映像を提供することができる。
【００４８】
本発明の第５の実施の形態は，遊戯施設における記念ビデオ作成システムを提供する。第５の実施の形態においては，第１の実施の形態または第２の実施の形態のシステムを利用して，遊園地，ゴルフ場などの遊戯施設に１または複数のカメラ４，受信機３を設置する。そして，来場者に無線タグ２を付与し，来場者ごとの記念ビデオ編集を可能とする。来場者の映像に加えて，催し物の映像を追加してもよい。
【００４９】
図１９は，本発明の第５の実施の形態に係る遊戯施設における記念ビデオ作成システムの運用例を示すブロック図である。図１９中，４１は遊戯施設の来場者，４２は遊戯施設，４３は広告主，４４はシステム運営者である。遊戯施設４２は，広告主４３から広告料を受け取るとともに，システム運営者４４に利用料を支払って無線タグ２を受け取り，遊戯施設４２内にシステム運営者４４から貸与されたシステムを設置する。
【００５０】
来場者４１は，遊戯施設４２に入場料を支払って無線タグ２を受け取り，受け取った無線タグ２を付ける。システム運営者４４は，無線タグ２の識別情報を用いて，遊戯施設４２内に設置されたカメラ４によって撮影された映像を来場者４１ごとに編集する。また，システム運営者４４は，広告主４３から広告映像を受け取る。そして，システム運営者４４は，編集映像および広告映像を来場者４１に提供する。
【００５１】
本発明の第６の実施の形態は，店舗あるいは工場における従業員行動管理システムを提供する。第６の実施の形態においては，第１の実施の形態または第２の実施の形態のシステムを利用して，小売店，レストランなどの店舗あるいは工場に１または複数のカメラ４，受信機３を設置する。従業員に無線タグ２を付与し，これを撮影することで，動線分析，作業工程ごとの所要時間，作業員ごとの所要時間のばらつきなどの分析検討に資する編集映像を提供する。
【００５２】
これらの映像は店内，厨房，生産ラインにおけるレイアウト，作業手順等を作業効率が向上するように改善するために利用できる。
【００５３】
図２０は，本発明の第６の実施の形態に係る店舗あるいは工場における従業員行動管理システムの運用例を示すブロック図である。図２０中，５１は従業員，５２は店舗，５３は本部・本社，５４はシステム運営者である。本部・本社５３が，システム運営者５４に利用料を支払うと，店舗５２はシステム運営者５４から無線タグ２を受け取るとともに，店舗５２内にシステムを設置する。また，店舗５２は，従業員５１に無線タグ２を付与する。
【００５４】
システム運営者５４は，無線タグ２の識別情報を用いて，店舗５２内に設置されたカメラ４によって撮影された映像を従業員５１ごとに編集し，編集映像を本部・本社５３に提供する。
【００５５】
【発明の効果】
以上に述べたように，本発明によれば，映像に撮影された多くの対象を識別し，それぞれの対象ごとの編集を容易に実現可能とするシステムを提供することができる。
【００５６】
例えば無線タグを付与した幼稚園，保育園の園児を撮影した後に，撮影した映像を園児ごとに編集し，編集された映像を保護者，親族等が閲覧することが可能となる。
【００５７】
また，例えば無線タグを付与した老人ホームなどの福祉施設の入所者を撮影した後に，撮影した映像を入所者ごとに編集し，編集された映像を後見人，親族等に提供することが可能となる。
【００５８】
また，例えば無線タグを付与した遊園地，ゴルフ場などの来場者を撮影した後に，撮影した映像を来場者ごとに編集することにより，記念ビデオ編集を行うことが可能となる。
【００５９】
また，例えば小売店，レストランなどの店舗や工場の従業員に無線タグを付与し，これを撮影した後に，撮影した映像を従業員ごとに編集することで，動線分析，作業工程ごとの所要時間，作業員ごとの所要時間のばらつきなどの分析検討を行うことが可能となる。
【図面の簡単な説明】
【図１】映像編集システムの構成の一例を示す図である。
【図２】受信記録部が記録する無線タグ信号データの一例を示す図である。
【図３】無線タグ管理部が管理する無線タグ管理データの一例を示す図である。
【図４】機器管理部が管理する機器管理データの一例を示す図である。
【図５】映像管理部が管理する映像管理データの一例を示す図である。
【図６】編集条件管理部が管理する編集条件データの一例を示す図である。
【図７】映像編集部が作成する編集映像データの一例を示す図である。
【図８】蓄積映像の編集の概念図である。
【図９】編集用コンピュータでの処理手順の流れを示す図である。
【図１０】カメラ・受信機の登録処理の具体的な流れを示す図である。
【図１１】無線タグ情報の登録処理の具体的な流れを示す図である。
【図１２】機器の時刻合わせの処理の具体的な流れを示す図である。
【図１３】映像編集の処理の具体的な流れを示す図である。
【図１４】映像編集の詳細を示す図である。
【図１５】映像編集システムの構成の一例を示す図である。
【図１６】幼稚園，保育園における園児モニタリングシステムの概要を示す図である。
【図１７】幼稚園，保育園における園児モニタリングシステムの運用例を示すブロック図である。
【図１８】福祉施設モニタリングシステムの運用例を示すブロック図である。
【図１９】遊戯施設における記念ビデオ作成システムの運用例を示すブロック図である。
【図２０】店舗あるいは工場における従業員行動管理システムの運用例を示すブロック図である。
【符号の説明】
１  編集用コンピュータ装置
２  無線タグ
３  受信機
４  カメラ
５  ネットワーク
１１  受信記録部
１２  無線タグ管理部
１３  機器管理部
１４  映像管理部
１５  編集条件管理部
１６  時刻同期管理部
１７  映像編集部
１８  映像蓄積部
１９  デジタル処理部
２１    園児
２２    保護者
２３    幼稚園，保育園
２４，３４，４４，５４  システム運営者
３１  入所者
３２  親族
３３  老人ホーム
４１  来場者
４２  遊戯施設
４３  広告主
５１  従業員
５２  店舗
５３  本部・本社
１１０  無線タグ信号データ記憶部
１２０  無線タグ管理データ記憶部
１３０  機器管理データ記憶部
１４０  映像管理データ記憶部
１５０  編集条件データ記憶部
１７０  編集映像データ記憶部
【図１】
2004312511.tif 000003
【図２】
2004312511.tif 000004
【図３】
2004312511.tif 000005
【図４】
2004312511.tif 000006
【図５】
2004312511.tif 000007
【図６】
2004312511.tif 000008
【図７】
2004312511.tif 000009
【図８】
2004312511.tif 000010
【図９】
2004312511.tif 000011
【図１０】
2004312511.tif 000012
【図１１】
2004312511.tif 000013
【図１２】
2004312511.tif 000014
【図１３】
2004312511.tif 000015
【図１４】
2004312511.tif 000016
【図１５】
2004312511.tif 000017
【図１６】
2004312511.tif 000018
【図１７】
2004312511.tif 000019
【図１８】
2004312511.tif 000020
【図１９】
2004312511.tif 000021
【図２０】
2004312511.tif 000022